(57)【要約】【課題】  従来の無線通信端末では、音声通話中の文字メッセージ着信ができないという問題点があったが、本発明は、通話中又は通話チャネルビジーで配信された文字のメッセージを確実に着信できる無線通信端末を提供する。【解決手段】  メッセージ送信側ＰＣ１から送信された文字メッセージが、ＰＢＸ２で対象のＰＳ４が通話中であると判断されると、そのＰＳ（無線通信端末）４に特殊キャッチホントーン信号を送信して特殊キャッチホントーンを発生させ、ＰＳ４が通話を切断すると、ＰＢＸ２から文字メッセージがＰＳ４に送信され、ＰＳ４はそのメッセージを着信するようになっているので、ＰＳ４は通話中であっても確実に文字メッセージを着信できるものである。【選択図】        図３
2007019778.tif 000002
【特許請求の範囲】
【請求項１】
音声通話と文字メッセージの受信が可能な無線通信端末であって、
音声通話中の着信について報知動作を行い、
音声通話の切断後に、前記着信が文字メッセージを含む情報として送信されたものと判断された場合、音声通話の切断後に着信した情報に含まれる文字メッセージを記憶部に記憶し、当該文字メッセージの表示指示が為されると、表示部に当該文字メッセージを表示することを特徴とする無線通信端末。
【発明の詳細な説明】
【技術分野】
【０００１】
本発明は、音声通話機能と文字情報通知機能の両方を備えた無線通信端末に係り、特に、音声通話中に配信された文字情報を確実に受信できる無線通信端末に関する。
【背景技術】
【０００２】
従来、文字情報通知は、公衆網のページャを用いた文字情報通知システムが運用されてきたが、昨今、ページャ事業者の新規契約受付終了等の事業縮小から、既存のページャによる文字通知システムを別システムに置き換える需要が増大している。
【０００３】
通常、公衆網エリアにおいては、携帯電話によるＥメールシステム等への置き換えとなるが、事業所内の構内ＰＨＳ（Personal Handyphone System）網のエリア内であれば、ＰＨＳの文字情報通知機能（ショートメール等）を用いて、利用料金がかからない文字通知サービスシステムの構築が可能である。
【０００４】
尚、構内ＰＨＳ網を用いたメッセージを送信する先行技術として、特開２００３−１０２０４１号公報「構内無線を利用した業務支援システム」がある（特許文献１）。
【０００５】
【特許文献１】特開２００３−１０２０４１号公報
【発明の開示】
【発明が解決しようとする課題】
【０００６】
しかしながら、従来の構内ＰＨＳシステムにおいて、ショートメール送信機能を用いてページャと同様の文字通知機能を実現しようとすると、以下の問題点があった。
第１の問題点として、ページャは、文字通知専用端末であるため、通話を行うことがなく、通話中ということがないが、構内ＰＨＳの無線通信端末は、音声通話機能を備えるため、通話中の事態が生じる。
【０００７】
特に、通話料がかからない構内ＰＨＳシステムでは、電話会議等で長時間にわたって通話中状態のままのケースが多々あり、このため、ビジー状態がほとんどないページャに比べて構内ＰＨＳはタイムリーにショートメールを受信することが困難であるという問題点があった。
【０００８】
これを、図５を参照しながら具体的に説明する。図５は、従来の構内ＰＨＳシステムの構成ブロック図である。
従来のＰＨＳシステムは、図５に示すように、メッセージを送信するメッセージ送信側コンピュータ（送信側ＰＣ）１が移動局（無線通信端末：ＰＳ(1)）４に文字のメッセージを送信する場合、メッセージをＬＡＮ（Local Area Network）を介して構内交換機（ＰＢＸ）２に出力し、構内交換機２内でＰＨＳ用の高速通信データに変換（ＬＡＮ−ＰＩＡＦＳ［Personal Handyphone System Internet Access Forum Standard］変換）し、接続する全ての基地局（ＢＳ）３に出力し、更にＢＳ３からＰＳ(1)４にメッセージが無線通信によってショートメールで配信される。
ここで、ショートメールを受信する予定のＰＳ(1)４が通話中であると、送信側ＰＣ１から送信されたショートメールを受信できないことになる。
【０００９】
第２の問題点として、ページャは、ページング着信であるため、着信用のチャネル（ｃｈ）の空きがないという概念を持たないが、構内ＰＨＳシステムでは、移動局自信が位置登録した呼出エリア内で、全ＢＳチャネルが通話により長時間使用中となってしまうケースがある。この場合、たとえ隣接する呼出エリアにチャネルに空きがあっても、ショートメールの着信を行うことができない。
【００１０】
これを、図６を参照しながら具体的に説明する。図６は、従来の構内ＰＨＳシステムの構成ブロック図である。
従来のＰＨＳシステムは、図６に示すように、メッセージを送信するメッセージ送信側ＰＣ１がＰＳ４に対してメッセージを送信する場合、呼出エリアＡにおけるＢＳ３ａ，３ｂがＰＳ(1)４ａとＰＳ(2)４ｂにより通話中であって呼出エリアＡに空きチャネルがない場合で、ＰＳ(3)４ｃが呼出エリアＡで位置登録をしていると、呼出チャネルＢに空きチャネルがあっても、ＰＳ(3)４ｃにはショートメールが着信されないという問題点があった。
【００１１】
本発明は上記実情に鑑みて為されたもので、通話中又は通話チャネルビジーで配信された文字のメッセージを確実に着信できる無線通信端末を提供することを目的とする。
【課題を解決するための手段】
【００１２】
上記従来例の問題点を解決するための本発明は、音声通話と文字メッセージの受信が可能な無線通信端末において、音声通話中の着信について報知動作を行い、音声通話の切断後に、その着信が文字メッセージを含む情報として送信されたものと判断された場合、音声通話の切断後に着信した情報に含まれる文字メッセージを記憶部に記憶し、当該文字メッセージの表示指示が為されると、表示部に当該文字メッセージを表示することを特徴とする。
【発明の効果】
【００１３】
本発明によれば、音声通話と文字メッセージの受信が可能な無線通信端末であって、音声通話中の着信について報知動作を行い、音声通話の切断後に、その着信が文字メッセージを含む情報として送信されたものと判断された場合、音声通話の切断後に着信した情報に含まれる文字メッセージを記憶部に記憶し、当該文字メッセージの表示指示が為されると、表示部に当該文字メッセージを表示する無線通信端末としているので、音声通話中でも文字メッセージを確実に着信できる効果がある。
【発明を実施するための最良の形態】
【００１４】
本発明の実施の形態について図面を参照しながら説明する。
本発明の実施の形態に係る無線通信端末は、メッセージが受信する時に、通話中であれば、特殊キャッチホンを通話中に鳴音させてメール着信を知らせ、通話を切断すると、メッセージを受信して記憶部に記憶し、入力部からのメッセージ表示指示で、表示部にメッセージを表示するものである。
【００１５】
本発明の実施の形態に係る無線通信システムは、メッセージ送信側コンピュータから交換機、基地局を介して無線通信端末へメッセージを送信する場合、無線通信端末が通話中であれば、特殊キャッチホンのトーン信号を通話中の無線通信端末に送信し、無線通信端末が通話を切断して切断信号を交換機が受信すると、交換機は記憶しておいたメッセージを無線通信端末に送信するものである。
これにより、無線通信端末は、確実にメッセージを受信できる。
【００１６】
また、本発明の実施の形態に係る無線通信システムは、無線通信端末に一定時間で定期的に位置登録処理を行わせるようにすると、最初に位置登録された呼出エリアが通話で一杯になっても、定期的な位置登録時に、隣接の空きチャネルのある呼出エリア経由で位置登録させることができるため、通話チャネルがビジーによってメッセージ送信が不能になることを回避でき、着信率を向上させることができるものである。
【００１７】
尚、以下、構内ＰＨＳシステムにおけるショートメールの配信を例にとって説明するが、構内ＰＨＳシステムに限定されず、携帯電話のショートメッセージにも応用できる。
【００１８】
本発明の実施の形態に係る無線通信端末が用いられる無線通信システムについて、図１を参照しながら説明する。図１は、本発明の実施の形態に係る無線通信システムの構成ブロック図である。
本発明の実施の形態に係る無線通信システム（本システム）は、図１に示すように、メッセージ送信側コンピュータ（送信側ＰＣ）１と、構内交換機（ＰＢＸ）２と、複数の基地局（ＢＳ）３と、無線通信端末（移動局：ＰＳ）４とから基本的に構成されている。
【００１９】
本システムの各部を説明する。
メッセージ送信側コンピュータ（送信側ＰＣ）１は、オペレータがメッセージを送信するのに用いるコンピュータで、ＬＡＮを介してＰＢＸ２に接続されている。
【００２０】
構内交換器（ＰＢＸ）２は、ＬＡＮを介して送信側ＰＣ１に接続し、内部で、ＬＡＮ−ＰＩＡＦＳ変換を行い、変換されたデータを接続する対象のＢＳ３に出力する。
特に、ＰＢＸ２は、記憶部を備え、メッセージ送信側ＰＣ１からメッセージを受信し、送信対象のＰＳ４が通話中であると、受信したメッセージを記憶部に一時記憶して、特殊キャッチホントーンをＰＳ４に送信し、ＰＳ４が通話切断を行って、通話切断の信号をＰＢＸ２が受信すると、記憶部に記憶したメッセージをＰＳ４に送信する。
【００２１】
ここで、特殊キャッチホントーンとは、通常のキャッチホンのトーンとは区別できる音を発生させる信号となっている。
尚、ＰＢＸ２では、ＰＳ４の位置登録を管理しているので、メッセージを送信する対象のＰＳ４に対して、そのＰＳ４が位置する呼出エリアのＢＳ３にメッセージを送信するようになっている。
【００２２】
基地局（ＢＳ）３は、エリア毎に設けられており、ＰＢＸ２から出力されたメッセージのデータをＰＳ４に無線送信する。
また、ＢＳ３は、ＰＳ４からの位置登録を受け付け、その位置登録の情報をＰＢＸ２に出力すると共に、ＰＳ４間の通話の中継を行っている。
【００２３】
無線通信端末（移動局：ＰＳ）４は、通話中でなければ、メッセージをショートメールで受信し、通話中であれば、特殊キャッチホントーンを受信し、特殊キャッチホンの音を鳴音させる。
【００２４】
ＰＳ４は、特殊キャッチホントーンを受信後（特殊キャッチホン鳴音後）に通話切断を行うと、通話切断の信号を、ＢＳ３を介してＰＢＸ２に送信する。すると、ＰＢＸ２からメッセージが送信されるので、当該メッセージを受信し、それを内部のメモリに記憶してその後入力部からの指示によって表示部にメッセージを表示する。
【００２５】
次に、本システムにおける動作の概要について図１を参照しながら説明する。
図１に示すように、本システムでは、メッセージ送信側ＰＣ１からＬＡＮを介してメッセージがＰＢＸ２に送信され、ＰＢＸ２はメッセージをＰＩＡＦＳ変換してＢＳ３に送信する。この場合、メッセージ送信対象のＰＳ４が通話中であれば、メッセージをＰＢＸ２内の記憶部に記憶し、代わりに特殊キャッチホントーンを、ＢＳ３を介してＰＳ４に送信する。
【００２６】
ＰＳ４は、特殊キャッチホントーンを通話中に受信して特殊音を鳴音させ、ＰＳ４の利用者がその特殊音によりメッセージが送信されたことを認識する。ＰＳ４で通話を切断して通話切断信号を、ＢＳ３を介してＰＢＸ２に送信すると、ＰＢＸ２は、記憶したメッセージをショートメールとしてＢＳ３を介してＰＳ４に送信する。
【００２７】
ＰＳ４は、受信したメッセージをメモリに記憶すると共に利用者の操作によってメッセージを表示部に表示させる。このようにして、メッセージ送信側ＰＣ１からのメッセージが通話中のＰＳ４に確実にメッセージを送信できるものである。
【００２８】
本発明の特徴である特殊キャッチホン時のテーブル関連の処理について図２を参照しながら説明する。図２は、特殊キャッチホン時のテーブル関連の概略図である。
本システムでは、図２に示すように、メッセージ送信者の回線メモリテーブル（ＴＢＬ）では、スロットアドレスＮｏ（スロット＋回線＋ＣＨ）に応じて、ｃｆｔ（三者通話トランク）メモリポインタ、ｃｆｔチャネルポインタ、接続トランクメモリポインタ等が設定される。
【００２９】
接続トランクメモリポインタによって、音声通話用トランク（メッセージ着信用）が指定され、そのトランクに、トランク次ポインタ、トランク前ポインタ、自トランクＮｏ、現在の状態番号、発信者（回線Ｎｏ）、使用状態フラグ、通話者人数、通話者（回線Ｎｏ）、着信者人数、着信者（回線Ｎｏ）が設定される。発信者（回線Ｎｏ）は、メッセージ発信者のスロットアドレスＮｏを指定している。
【００３０】
また、着信者（回線Ｎｏ）によって、着信者の回線メモリテーブル（ＴＢＬ）では、通話中のＰＳ（特殊キャッチホントーンを受信）に関して、スロットアドレスＮｏ（スロット＋回線＋ＣＨ）に応じて、ｃｆｔメモリポインタ、ｃｆｔチャネルポインタ、接続トランクメモリポインタ、キャッチポインタ等が設定される。キャッチポインタは、音声通話用トランク（メッセージ着信用）が指定されている。
【００３１】
着信者の回線メモリＴＢＬの接続トランクメモリポインタによって、音声通話用トランク（通話中）が指定され、そのトランクに、トランク次ポインタ、トランク前ポインタ、自トランクＮｏ、現在の状態番号、発信者（回線Ｎｏ）、使用状態フラグ、通話者人数、通話者（回線Ｎｏ）、着信者人数、着信者（回線Ｎｏ）が設定される。通話者（回線Ｎｏ）は、着信者の回線メモリＴＢＬのスロットアドレスＮｏと通話相手の回線メモリテーブル（ＴＢＬ）のスロットアドレスＮｏとを指定している。
【００３２】
通話相手の回線メモリＴＢＬでは、通話中のＰＳに関して、スロットアドレスＮｏ（スロット＋回線＋ＣＨ）に応じて、ｃｆｔメモリポインタ、ｃｆｔチャネルポインタ、接続トランクメモリポインタ等が設定される。接続トランクメモリポインタは、音声通話用トランク（通話中）が指定されている。
【００３３】
図２における関連において、通話中のＰＳが切断すると、着信者の回線メモリＴＢＬにおけるキャッチポインタを辿って音声通話用トランク（メッセージ着信用）のイベントが動作し、メッセージ着信を行う。
【００３４】
次に、本システムにおける移動局（ＰＳ）が通話中の場合の切断からメッセージ着信までの流れについて図３を参照しながら説明する。図３は、移動局（ＰＳ）が通話中の場合の切断からメッセージ着信までの流れを示すタイムチャートである。
本システムでは、図３に示すように、まず、ＰＢＸ２とＰＳ４とが通話中の状態にあって、メッセージ送信側ＰＣ１がＰＳ内線番号＋メッセージデータをＰＢＸ２に送信すると、ＰＳ４が通話中であるため、ＰＢＸ２はキャッチトラックに接続してメッセージを記憶し、特殊キャッチホントーンをＰＳ４に送信する。
【００３５】
ＰＳ４では、通話者（利用者）が特殊キャッチホントーンを聴き取ったことにより、通話者は通話切断を行うと、切断（呼開放）を示すＤＩＳＣ信号がＰＢＸ２に送信される。すると、ＰＢＸ２は、呼番号開放要求のＲＥＬ信号をＰＳ４に送信し、それに対してＰＳ４から呼番号開放完了を示すＲＥＬＣＯＭ信号が送信され、それを受けて、ＰＢＸ２は、切断イベントによりキャッチトラックをたどり、メッセージ着信動作の起動を行い、メッセージデータを含む呼設定要求のＳＥＴＵＰ信号をＰＳ４に送信する。
【００３６】
ＳＥＴＵＰ信号に対して、呼設定のための処理中である旨のＣＡＬＬＰＲＯＣ信号がＰＳ４からＰＢＸ２に送信され、ＰＢＸ２からＩＮＦＯ認証要求がＰＳ４に送信され、ＰＳ４からＩＮＦＯ認証応答がＰＢＸ２に送信される。これにより、ＰＳ４ではメッセージを受信する。
【００３７】
その後、ＰＳ４は、被呼者を呼出中である旨のＡＬＥＲＴ信号をＰＢＸ２に送信し、ＰＢＸ２は、メッセージ送信側ＰＣ１に通知完了を通知する。そして、ＰＳ４は、ＤＩＳＣ信号をＰＢＸ２に送信し、ＰＢＸ２は、回線切断をメッセージ送信側ＰＣ１に通知し、ＰＳ４に対してＲＥＬ信号を送信し、これに対してＰＳ４は、ＲＥＬＣＯＭ信号をＰＢＸ２に送信して、一連の処理を終了する。
【００３８】
本システムによれば、メッセージ送信側ＰＣ１から送信された文字メッセージが、ＰＢＸ２で対象のＰＳ４が通話中であると判断されると、そのＰＳ４に特殊キャッチホントーン信号を送信して特殊キャッチホントーンを発生させ、ＰＳ４が通話を切断すると、ＰＢＸ２から文字メッセージがＰＳ４に送信され、ＰＳ４はそのメッセージをショートメールとして着信するようになっているので、ＰＳ４は通話中であっても確実にメッセージを着信できる効果がある。
【００３９】
また、本システムにおけるＰＳ（無線通信端末）４によれば、通話中にメッセージの送信があると、特殊キャッチホントーン信号を受信して特殊キャッチホントーンを鳴音させ、その後に通話切断してメッセージをショートメールとして着信して、表示指示により表示部にメッセージを表示するようになっているので、ＰＳ４は通話中であっても確実にメッセージを着信して表示できる効果がある。
【００４０】
次に、本発明の別の実施の形態に係る無線通信システム（別システム）について図４を参照しながら説明する。図４は、別システムの構成ブロック図である。
別システムは、図４に示すように、メッセージ送信側コンピュータ（送信側ＰＣ）１と、構内交換機（ＰＢＸ）２と、複数の基地局（ＢＳ）３と、複数の無線通信端末（移動局：ＰＳ）４とから基本的に構成されている。
基本的構成は、図１の本システムの構成と同様であるが、別システムでは、ＰＢＸ２及びＰＳ４における処理が本システムと相違している。
【００４１】
本システムと相違する点を具体的に説明する。
ＰＳ４は、一定時間間隔で定期的に位置登録動作を行う定期位置登録機能を用いるようにする。
ＰＳ４が位置登録した呼出エリアのチャネルが通話で一杯になったとしても、ＰＳ４の定期位置登録機能により、隣接の空きチャネルのある呼出エリア経由で位置登録させ、ＰＢＸ２はその位置登録を管理し、メッセージ送信側ＰＣ１から送信されたメッセージを空きチャネルのある呼出エリアに位置登録されたＰＳ４に送信され、着信されることになる。
【００４２】
図４では、呼出エリアＡに位置登録されたＰＳ(3)４について、呼出エリアＡが通話で一杯になったとすると、ＰＳ(3)４は定期位置登録機能を用いて呼出エリアＢでの通信が可能であれば、空きチャネルのある呼出エリアＢで位置登録を行う。
メッセージ送信側ＰＣ１から送信されたメッセージは、ＰＳ(3)４が通話チャネルビジーによってメッセージ送信不能とはなっていないので、メッセージの着信が可能で、着信率を向上させることができる効果がある。
【００４３】
別システムによれば、ＰＳ４が定期位置登録機能を用いて位置登録した呼出エリアに空きチャネルがない場合に、空きチャネルのある隣接の呼出エリアでの位置登録を行わせるようにし、その空きチャネルを用いてメッセージの着信を可能としているので、通話チャネルビジーによるメッセージ送信不能を回避でき、メッセージの着信率を向上させることができる効果がある。
【００４４】
また、別システムにおけるＰＳ（無線通信端末）４によれば、定期位置登録機能により、空きチャネルのある隣接の呼出エリアでの位置登録を行わせ、その空きチャネルを用いてメッセージの着信を行うようにしているので、通話チャネルビジーによるメッセージ送信不能を回避でき、メッセージの着信率を向上させることができる効果がある。
【００４５】
尚、本システムと別システムとを統合して一体のシステムとしてもよい。
【産業上の利用可能性】
【００４６】
本発明は、通話中又は通話チャネルビジーで配信された文字のメッセージを確実に着信できる無線通信端末及び無線通信システムに好適である。
【図面の簡単な説明】
【００４７】
【図１】本発明の実施の形態に係る無線通信システムの構成ブロック図である。
【図２】特殊キャッチホン時のテーブル関連の概略図である。
【図３】移動局（ＰＳ）が通話中の場合の切断からメッセージ着信までの流れを示すタイムチャートである。
【図４】別システムの構成ブロック図である。
【図５】従来の構内ＰＨＳシステムの構成ブロック図である。
【図６】従来の構内ＰＨＳシステムの構成ブロック図である。
【符号の説明】
【００４８】
１…メッセージ送信側ＰＣ、  ２…構内交換機（ＰＢＸ）、  ３…基地局（ＢＳ）、  ４…移動局（ＰＳ）
【図１】
2007019778.tif 000003
【図２】
2007019778.tif 000004
【図３】
2007019778.tif 000005
【図４】
2007019778.tif 000006
【図５】
2007019778.tif 000007
【図６】
2007019778.tif 000008